(57)【要約】【課題】外部電線並びに接地線の引き回しが容易で結線作業のし易いコンセントを提供する。【解決手段】接地側の充電極用端子部を収納する端子部収納室１０1と電源側の充電極用端子部を収納する端子部収納室１０2とがボディ２の長手方向両端に設けられ、接地極用端子部を収納する接地極収納室８がボディ２の長手方向中央に設けられるとともに、各収納室８，１０1，１０2においては一対の接地線挿入孔１１，１１並びに一対の電線挿入孔１２，１２がボディ２の長手方向に沿って並設されている。故に、複数の電線挿入孔１２並びに接地線挿入孔１１が、外郭１の長手方向（左右方向）に沿って並び且つ外郭１の長手方向と直交する方向（上下方向）において重ならないから、外部電線並びに接地線の引き回しが容易で結線作業がし易い。【選択図】図１
2008159279.tif 000002
【特許請求の範囲】
【請求項１】
横長の略直方体形状であって、長手方向を水平方向に略一致させ且つ前面を露出させた状態で施工面に埋込配設される外郭を備えたコンセントにおいて、
差込プラグが具備する充電極の２つの刃がそれぞれ差し込まれる一対の充電極用差込口と当該差込プラグが具備する接地極の刃が差し込まれる接地極用差込口とが外郭前面の長手方向略中央に設けられ、一対の充電極用差込口に差し込まれる充電極の刃を受ける一対の充電極用刃受と接地極用差込口に差し込まれる接地極の刃を受ける接地極用刃受とが外郭内における長手方向略中央に収納され、一対の充電極用刃受に対して複数の外部電線を各々電気的に接続する一対の充電極用端子部が外郭内における長手方向両端部に収納され、接地極用刃受に対して複数の接地線を電気的に接続する接地極用端子部が外郭内における長手方向略中央に収納され、複数の外部電線がそれぞれ挿入される複数の電線挿入孔が外郭後面における長手方向両端部に設けられ、複数の接地線がそれぞれ挿入される複数の接地線挿入孔が外郭後面における長手方向略中央に設けられ、
これら複数の電線挿入孔並びに接地線挿入孔は、外郭の長手方向に沿って並び且つ外郭の長手方向と直交する方向において重ならないように配置されていることを特徴とするコンセント。
【請求項２】
一対の充電極用端子部は、導電性を有する板材を加工することで充電極用刃受と一体に形成される端子板と、電線挿入孔に挿入される外部電線の導体を端子板との間でそれぞれ狭持し且つ鎖錠する複数の錠ばねと、外郭の外から操作されることで複数の錠ばねの鎖錠状態を解除する解除釦とを有し、各々充電極用刃受と一体に形成された一対の端子板が外郭の長手方向略中央に対して回転対称に配置されてなることを特徴とする請求項１記載のコンセント。
【請求項３】
一対の充電極用刃受は、前端側を撓み自在として厚み方向に対向配置され差込プラグの充電極の刃を弾性的に狭持する一対の刃受ばねを有し、これら一対の刃受ばねの対向方向が外郭の長手方向と略平行になるものと当該対向方向が長手方向に略直交するものの２種類のうちから同種類のものが２つ若しくは各種類が１つずつ外郭内に収納されてなることを特徴とする請求項２記載のコンセント。
【請求項４】
一対の充電極用刃受は、前端側を撓み自在として厚み方向に対向配置され差込プラグの充電極の刃を弾性的に狭持する一対の刃受ばねと、当該一対の刃受ばねの側端縁と対向し当該側端縁との間に差込プラグの充電極の刃を弾性的に狭持する別の刃受ばねとを有し、前記一対の刃受ばねの対向方向が外郭の長手方向と略平行となるように外郭内に収納されてなることを特徴とする請求項２記載のコンセント。
【請求項５】
電線挿入孔への外部電線挿入向きに沿って錠ばねと当接する当接部が外郭に設けられたことを特徴とする請求項２〜４の何れか１項に記載のコンセント。
【請求項６】
外郭内側の前壁に、外部電線の挿入向きに沿って電線挿入孔と対向する凹所が設けられたことを特徴とする請求項５記載のコンセント。
【請求項７】
電線挿入孔への外部電線挿入向きに沿って錠ばねと当接する当接部が端子板に設けられたことを特徴とする請求項２〜４の何れか１項に記載のコンセント。
【請求項８】
端子板は、外部電線の挿入方向と直交する方向で錠ばねを支持する支持片と、外部電線の挿入方向と直交する方向において錠ばねにより外部電線の導体が弾接する弾接片とを有し、支持片並びに弾接片の互いに対向する面にローレット加工が為されていることを特徴する請求項２記載のコンセント。
【請求項９】
刃受ばねは、導電性を有する帯状の金属板を曲げ加工して形成されるものであって、曲げ加工される部位の少なくとも一部に突起が形成されてなることを特徴とする請求項３又は４記載のコンセント。
【発明の詳細な説明】
【技術分野】
【０００１】
本発明は、コンセントに関するものである。
【背景技術】
【０００２】
従来より、図２０，２１に示すように横長の略直方体形状であって長手方向を水平方向に略一致させ且つ前面を露出させた状態で施工面に埋込配設される外郭を備えたコンセントが提供されている（例えば、特許文献１参照）。
【０００３】
このコンセントは、図２０，２１に示すように差込プラグが具備する充電極の２つの刃がそれぞれ差し込まれる一対の充電極用差込口５１，５１と当該差込プラグが具備する接地極の刃が差し込まれる接地極用差込口５２とが外郭５０前面の長手方向両端部にそれぞれ設けられ、二対の充電極用差込口５１に差し込まれる充電極の刃を受ける一対の充電極用刃受（図示せず）と接地極用差込口５２に差し込まれる接地極の刃を受ける接地極用刃受（図示せず）とが外郭５０内における長手方向両端部にそれぞれ収納され、二対の充電極用刃受に対して複数の外部電線を各々電気的に接続する一対の充電極用端子部（図示せず）が外郭５０内における長手方向略中央に収納され、接地極用刃受に対して複数の接地線を電気的に接続する接地極用端子部（図示せず）が外郭５０内における長手方向略中央に収納され、複数の外部電線がそれぞれ挿入される複数の電線挿入孔５３と複数の接地線がそれぞれ挿入される複数の接地線挿入孔５４とが外郭５０後面における長手方向略中央に設けられている。
【０００４】
かかるコンセントは、図２１に示すように壁面に埋め込まれた埋込ボックス２００に外郭５０の後端部を収納するようにして埋込配設される。埋込ボックス２００には一対の電線管２０１，２０１が接続されており、一方の電線管２０１には分電盤若しくは他の配線器具に接続された外部電線１１０と接地線１２０が挿通され、他方の電線管２０１には他の配線器具に送り配線するための外部電線１１０と接地線１２０が挿通されている。これら複数の外部電線１１０並びに接地線１２０をコンセントに結線する場合、一方の電線管２０１から引き出された一対の外部電線１１０と他方の電線管２０１から引き出された一対の外部電線１１０が各々電線挿入孔５３に挿入されて一対の充電極用端子部に結線されるとともに、それぞれの電線管２０１，２０１から引き出された一対の接地線１２０が各接地線挿入孔５４に挿入されて接地極用端子部と結線される。
【特許文献１】特開２００６−６６２２８号公報
【発明の開示】
【発明が解決しようとする課題】
【０００５】
ところで、上記従来例では複数の電線挿入孔５３並びに接地線挿入孔５４が外郭５０後面における長手方向略中央に集中し、且つ外郭５０の長手方向と直交する方向において重なる位置に設けられていた。そのため、図２１（ｂ）に示すように埋込ボックス２００内の奥行き方向において外部電線１１０や接地線１２０の引き回しが困難であった。特に導体が断面積５．５ｍｍ2の円形より線で構成される太い外部電線を用いる場合においては、導体が単線からなる細い外部電線を用いる場合に比較して外部電線が曲げにくいために結線作業が一層困難になる。
【０００６】
本発明は上記事情に鑑みて為されたものであり、その目的は、外部電線並びに接地線の引き回しが容易で結線作業のし易いコンセントを提供することにある。
【課題を解決するための手段】
【０００７】
請求項１の発明は、上記目的を達成するために、横長の略直方体形状であって、長手方向を水平方向に略一致させ且つ前面を露出させた状態で施工面に埋込配設される外郭を備えたコンセントにおいて、差込プラグが具備する充電極の２つの刃がそれぞれ差し込まれる一対の充電極用差込口と当該差込プラグが具備する接地極の刃が差し込まれる接地極用差込口とが外郭前面の長手方向略中央に設けられ、一対の充電極用差込口に差し込まれる充電極の刃を受ける一対の充電極用刃受と接地極用差込口に差し込まれる接地極の刃を受ける接地極用刃受とが外郭内における長手方向略中央に収納され、一対の充電極用刃受に対して複数の外部電線を各々電気的に接続する一対の充電極用端子部が外郭内における長手方向両端部に収納され、接地極用刃受に対して複数の接地線を電気的に接続する接地極用端子部が外郭内における長手方向略中央に収納され、複数の外部電線がそれぞれ挿入される複数の電線挿入孔が外郭後面における長手方向両端部に設けられ、複数の接地線がそれぞれ挿入される複数の接地線挿入孔が外郭後面における長手方向略中央に設けられ、これら複数の電線挿入孔並びに接地線挿入孔は、外郭の長手方向に沿って並び且つ外郭の長手方向と直交する方向において重ならないように配置されていることを特徴とする。
【０００８】
請求項２の発明は、請求項１の発明において、一対の充電極用端子部は、導電性を有する板材を加工することで充電極用刃受と一体に形成される端子板と、電線挿入孔に挿入される外部電線の導体を端子板との間でそれぞれ狭持し且つ鎖錠する複数の錠ばねと、外郭の外から操作されることで複数の錠ばねの鎖錠状態を解除する解除釦とを有し、各々充電極用刃受と一体に形成された一対の端子板が外郭の長手方向略中央に対して回転対称に配置されてなることを特徴とする。
【０００９】
請求項３の発明は、請求項２の発明において、一対の充電極用刃受は、前端側を撓み自在として厚み方向に対向配置され差込プラグの充電極の刃を弾性的に狭持する一対の刃受ばねを有し、これら一対の刃受ばねの対向方向が外郭の長手方向と略平行になるものと当該対向方向が長手方向に略直交するものの２種類のうちから同種類のものが２つ若しくは各種類が１つずつ外郭内に収納されてなることを特徴とする。
【００１０】
請求項４の発明は、請求項２の発明において、一対の充電極用刃受は、前端側を撓み自在として厚み方向に対向配置され差込プラグの充電極の刃を弾性的に狭持する一対の刃受ばねと、当該一対の刃受ばねの側端縁と対向し当該側端縁との間に差込プラグの充電極の刃を弾性的に狭持する別の刃受ばねとを有し、前記一対の刃受ばねの対向方向が外郭の長手方向と略平行となるように外郭内に収納されてなることを特徴とする。
【００１１】
請求項５の発明は、請求項２〜４の何れか１項の発明において、電線挿入孔への外部電線挿入向きに沿って錠ばねと当接する当接部が外郭に設けられたことを特徴とする。
【００１２】
請求項６の発明は、請求項５の発明において、外郭内側の前壁に、外部電線の挿入向きに沿って電線挿入孔と対向する凹所が設けられたことを特徴とする。
【００１３】
請求項７の発明は、請求項２〜４の何れか１項の発明において、電線挿入孔への外部電線挿入向きに沿って錠ばねと当接する当接部が端子板に設けられたことを特徴とする。
【００１４】
請求項８の発明は、請求項２の発明において、端子板は、外部電線の挿入方向と直交する方向で錠ばねを支持する支持片と、外部電線の挿入方向と直交する方向において錠ばねにより外部電線の導体が弾接する弾接片とを有し、支持片並びに弾接片の互いに対向する面にローレット加工が為されていることを特徴する。
【００１５】
請求項９の発明は、請求項３又は４の発明において、刃受ばねは、導電性を有する帯状の金属板を曲げ加工して形成されるものであって、曲げ加工される部位の少なくとも一部に突起が形成されてなることを特徴とする。
【発明の効果】
【００１６】
請求項１の発明によれば、複数の電線挿入孔並びに接地線挿入孔が、外郭の長手方向に沿って並び且つ外郭の長手方向と直交する方向において重ならないように配置されているので、従来例のように複数の電線挿入孔並びに接地線挿入孔が外郭後面における長手方向略中央に集中し且つ外郭の長手方向と直交する方向において重なって配置されている構成に比較して、外部電線並びに接地線の引き回しが容易であり且つ結線作業もし易い。
【００１７】
請求項２の発明によれば、各々充電極用端子部を構成する一対の端子板が、充電極用刃受と一体に形成されて外郭の長手方向略中央に対して回転対称に配置されるので、部品の共通化によるコストダウンが図れる。
【００１８】
請求項３の発明によれば、一対の充電極用刃受は、前端側を撓み自在として厚み方向に対向配置され差込プラグの充電極の刃を弾性的に狭持する一対の刃受ばねを有し、これら一対の刃受ばねの対向方向が外郭の長手方向と略平行になるものと当該対向方向が長手方向に略直交するものの２種類のうちから同種類のものが２つ若しくは各種類が１つずつ外郭内に収納されてなるので、極配置が異なる複数種類のコンセントの間で充電極用刃受並びに充電極用端子部を共通に用いることができてコストダウンが図れる。
【００１９】
請求項４の発明によれば、一対の充電極用刃受は、前端側を撓み自在として厚み方向に対向配置され差込プラグの充電極の刃を弾性的に狭持する一対の刃受ばねと、当該一対の刃受ばねの側端縁と対向し当該側端縁との間に差込プラグの充電極の刃を弾性的に狭持する別の刃受ばねとを有し、前記一対の刃受ばねの対向方向が外郭の長手方向と略平行となるように外郭内に収納されてなるので、極配置が異なる複数種類のコンセントの間で充電極用刃受並びに充電極用端子部を共通に用いることができてコストダウンが図れるとともに、極配置が異なる複数種類の差込プラグに対応することができる。
【００２０】
請求項５の発明によれば、電線挿入孔への外部電線挿入向きに沿って錠ばねと当接する当接部が外郭に設けられているので、外部電線の挿入向きに沿った錠ばねの移動を防いで外部電線を確実に結線することができる。
【００２１】
請求項６の発明によれば、外郭内側の前壁に、外部電線の挿入向きに沿って電線挿入孔と対向する凹所が設けられているので、外部電線の導体が必要十分な長さ以上に挿入された場合でも導体の先端部分を凹所内に逃がすことで他方の充電極用端子部と接触するのを防ぐことができる。
【００２２】
請求項７の発明によれば、電線挿入孔への外部電線挿入向きに沿って錠ばねと当接する当接部が端子板に設けられたので、外部電線の挿入向きに沿った錠ばねの移動を防いで外部電線を確実に結線することができる。
【００２３】
請求項８の発明によれば、端子板を構成する支持片並びに弾接片の互いに対向する面にローレット加工が為されているので、外部電線の導体と端子板の接触安定性が向上するとともに、支持片と弾接片の位置を入れ替えても同等の接触安定性が得られる。
【００２４】
請求項９の発明によれば、刃受ばねは、導電性を有する帯状の金属板を曲げ加工して形成されるものであって、曲げ加工される部位の少なくとも一部に突起が形成されているので、突起が無い場合と比較して刃受ばねが撓みにくくなり、挿抜力が安定して得られる。
【発明を実施するための最良の形態】
【００２５】
以下、図面を参照して本発明の実施形態を詳細に説明する。
【００２６】
（実施形態１）
本実施形態のコンセントは、定格１５Ａ，１２５Ｖの極配置を有する２極接地極付埋込コンセントである。以下の説明では、特に断りがない限り、図１（ａ）に示す向きにおいて上下左右の方向を規定し、同図（ｂ）における上面を前面、下面を後面と呼ぶ。
【００２７】
図２は本実施形態のコンセントを示す分解斜視図であり、外郭１は、合成樹脂製のボディ２およびカバー３を金属製の組立枠４により結合して構成され、埋込型の配線器具用に規格化（日本工業規格等）されている一連の取付枠に３個まで取り付けることのできる単位寸法の配線器具の３個分の寸法（３個モジュール寸法という。）に形成されている。
【００２８】
ボディ２は前面が開口した横長の略箱状に形成され、長手方向に沿う下側面の中央部には下方向における外側に膨出する膨出部５が設けられ、さらに上下両側面の長手方向両端近傍の前縁には凸部６がそれぞれ突設されている。
【００２９】
図２および図４に示すように、ボディ２の内部は複数の隔壁７1〜７6によって概ね５つの区画に仕切られている。すなわち、上方向から膨出部５の内側を囲む略冂字形の隔壁（第１隔壁）７1が長手方向中央下側に形成され、この第１隔壁７1の長手方向中央とボディ２上側壁の長手方向中央との間にボディ２の上下方向に沿った平板状の隔壁（第２隔壁）７2が形成され、また、ボディ２の長手方向に沿って第２隔壁７2から互いに等しい距離だけ離れた一対の平板状の隔壁（第３隔壁７3，第４隔壁７4）が形成され、さらに、ボディ２の長手方向両端の下側にはそれぞれ略ひ字形の隔壁（第５隔壁７5，第６隔壁７6）が形成されている。第１隔壁７1と膨出部５の内壁で囲まれた区画は、後述する接地極用端子部と接地極用刃受２１が収納される接地極収納室８となる。また第１隔壁７1と第２隔壁７2と第３隔壁７3で囲まれた区画は、後述する接地側の充電極用刃受２３が収納される接地側刃受収納室９1となり、第１隔壁７1と第２隔壁７2と第４隔壁７4で囲まれた区画は、後述する電源側の充電極用刃受２３が収納される電源側刃受収納室９2となる。さらに、ボディ２の上側および左側の内壁と第３隔壁７3と第５隔壁７5で囲まれた区画は、後述する接地側の充電極用端子部が収納される接地側端子部収納室１０1となり、ボディ２の上側および右側の内壁と第４隔壁７4と第６隔壁７6で囲まれた区画は、後述する電源側の充電極用端子部が収納される電源側端子部収納室１０2となる。
【００３０】
接地極収納室８における膨出部５内の後壁にはボディ２の長手方向に沿った略長円形の操作孔８ａと、操作孔８ａの左右両側に位置する一対の接地線挿入孔１１，１１とが貫通している。また接地側並びに電源側の各端子部収納室１０1，１０2の後壁にも、ボディ２の長手方向に沿った略長円形の操作孔１０ａと、操作孔１０ａの左右両側に位置する一対の電線挿入孔１２，１２とが貫通している。但し、電線挿入孔１２，１２の内径は、後述するように導体がより線である外部電線に対応させるため、接地線挿入孔１１，１１の内径よりも大きくなっている。
【００３１】
一方、カバー３は後面が開口した横長の略箱状に形成され、長手方向に沿う上側壁の中央部にはボディ２の膨出部５前面を塞ぐ張出部１４が下向きに突設され、さらに上下両側面の長手方向両端近傍の後縁にはボディ２の凸部６，６と対向する位置に凸部１５，１５が突設されている。また、カバー３前面（すなわち外郭１の前面）の長手方向略中央には、図示しない差込プラグ（定格１５Ａ，１２５Ｖの２極差込プラグ若しくは定格１５Ａ，１２５Ｖの２極接地極付差込プラグ）が具備する充電極の２つの刃がそれぞれ差し込まれる一対の充電極用差込口１６ａ，１６ｂと当該差込プラグ（定格１５Ａ，１２５Ｖの２極接地極付差込プラグ）が具備する接地極の刃が差し込まれる接地極用差込口１７とが設けられている。なお、一対の充電極用差込口１６ａ，１６ｂは上下方向に長い矩形孔からなり、電源側の刃が差し込まれる充電極用差込口１６ｂに対して接地側の刃が差し込まれる充電極用差込口１６ａの長手方向（上下方向）の寸法を長くしてある。また、接地極の刃が差し込まれる接地極用差込口１７は略半円形状に形成されている。
【００３２】
組立枠４は、細長の板状であって長手方向の両端部が斜め後向きに折曲され、中央部がカバー３の張出部１４および凸部１５上に載置される側片１８，１８と、側片１８，１８の長手方向の両端部間をそれぞれ連結する連結片１９，１９とで四角枠状に形成され、各側片１８には長手方向の両側部に後方に突出するＵ字状の突出片２０が一対ずつ設けられている。而してボディ２とカバー３とを結合する際には、ボディ２の前面にカバー３を載置した状態で、組立枠４を前面側からカバー３に被せて、組立枠４の側片１８，１８を張出部１４および凸部１５上に載置すると、ボディ２およびカバー３の凸部６，１５が組立枠４の突出片２０の内側に挿入される。このとき側片１８の内側縁に突設された突起１８ａがカバー３の凸部１５に設けた位置決め凹部１５ａと係止することによって、組立枠４がカバー３に対して位置決めされる（図１（ａ）参照）。そして、突出片２０の中央片を前側に屈曲させて凸部６の後面の凹部６ａと係止させることで、組立枠４によりボディ２とカバー３とが結合されて外郭１が組み立てられる。また組立枠４の側片１８，１８の外側縁には、図５に示すようにプレート枠１００に設けられた取付孔（図示せず）に係止する取付爪１８ｂ，１８ｂが突設されており、この取付爪１８ｂをプレート枠１００の取付孔に係止させることで、外郭１がプレート枠１００に取着できるようになっている。
【００３３】
接地極用端子部は、導電性を有する板材を加工することで接地極用刃受２１と一体に形成される端子板２２と、接地線挿入孔１１に挿入される接地線の導体を端子板２２との間で狭持し且つ鎖錠する２つの錠ばね４０，４０と、操作孔８ａを通して外郭１の外から操作されることで２つの錠ばね４０，４０の鎖錠状態を解除する解除釦４１とを有した所謂ねじなし端子（速結端子）からなる。接地極用刃受２１は、前端側を撓み自在として厚み方向に対向配置され差込プラグの接地極の刃を弾性的に狭持する一対の刃受ばね２１ａ，２１ａからなる。
【００３４】
錠ばね４０は、帯状の板ばねの一端部をＳ字状に曲成して接触片４０ａを形成し、他端部をＪ字状に曲成して鎖錠片４０ｂを形成し、接触片４０ａと鎖錠片４０ｂとの間を接続片４０ｃにより連続一体に連結した形状に形成される。ここに、接触片４０ａおよび鎖錠片４０ｂは接続片４０ｃに対して厚み方向の同じ側に突出しており、接触片４０ａおよび鎖錠片４０ｂの先端部は、先端側ほど接続片４０ｃから離れる向きに傾斜し、かつ互いに略平行になるように延長されている。端子板２２は、それぞれが錠ばね４０，４０の接続片４０ｃ，４０ｃに厚み方向に当接して支持する一対の支持片２２ａ，２２ａと、これら一対の支持片２２ａ，２２ａに対して錠ばね４０，４０を挟んで対向する一対の接続片２２ｂ，２２ｂと、前端側において各一対の支持片２２ａ，２２ａ並びに接続片２２ｂ，２２ｂに連結された中央片２２ｃとを有し、支持片２２ａ，２２ａの後端に刃受ばね２１ａ，２１ａの後端がそれぞれ連結されている。そして、接地極用刃受２１並びに端子板２２は、２つの錠ばね４０，４０並びに１つの解除釦４１とともに接地極収納室８に収納されるのであるが、接地極用刃受２１が接地極収納室８の上側に配置され、端子板２２が接地極収納室８の下側に配置されるとともに、上下方向において対向する支持片２２ａと接続片２２ｂとの間に接続片４０ｃを支持片２２ａに当接させる向きで錠ばね４０，４０がそれぞれ収納される（図４（ｂ）参照）。
【００３５】
従って、接地線挿入孔１１を通して外郭１内部に接地線（図示せず）を挿入すると、接地線の導体が端子板２２の接続片２２ｂと錠ばね４０の接触片４０ａおよび鎖錠片４０ｂとの間に挟持され、接地線の導体が接続片２２ｂに弾接して端子板２２と電気的に接続されるとともに、鎖錠片４０ｂの先端縁が導体に食い込むことによって接地線が抜けないように機械的に保持（抜け止め）されることで接地線を結線することができる。また、接地極収納室８の下側における一対の接続片２２ｂ，２２ｂの間に解除釦４１が配置される。解除釦４１は合成樹脂成型品からなり、操作孔８ａを通してマイナスドライバ等の工具先端で押操作されることにより、上方に移動して一対の錠ばね４０，４０の鎖錠片４０ｂ，４０ｂを導体から離れる向きに同時に撓ませて接地線の導体から引き離すことで鎖錠状態を解除することができる。
【００３６】
一方、電源側並びに接地側の充電極用端子部は、図３に示すように導電性を有する板材を加工することで充電極用刃受２３と一体に形成される端子板２４と、電線挿入孔１２に挿入される外部電線の導体を端子板２４との間で狭持し且つ鎖錠する２つの錠ばね４０，４０と、操作孔１０ａを通して外郭１の外から操作されることで２つの錠ばね４０，４０の鎖錠状態を解除する解除釦４１とを有したねじなし端子（速結端子）からなる。また、充電極用刃受２３は、帯状の金属板を略逆Ω形に曲げ加工することにより、前端側を撓み自在として厚み方向に対向配置された一対の刃受ばね２３ａ，２３ａで構成される。但し、電源側並びに接地側の充電極用端子部の錠ばね４０並びに解除釦４１は、若干の形状並びに寸法の違いはあるが、基本的に接地極用端子部のものと共通の構成である。
【００３７】
端子板２４は、図３に示すように一対の短冊状の端子片２４ａ，２４ａを前端側で連結して略Ｈ字形とした一対の端子部材が帯状の中央片２４ｂで連結されるとともに、一方の端子部材の端子片２４ａが帯状の連結片２４ｃによって刃受ばね２３ａの後端部と連結されることで充電極用刃受２３と一体に形成されている。そして、図４（ｂ）に示すように充電極用刃受２３，２３がそれぞれ刃受収納室９1，９2に収納され、端子板２４，２４が２つの錠ばね４０，４０並びに１つの解除釦４１とともに端子部収納室１０1，１０2に収納される。ここで、接地側の充電極用端子部に対しては、連結片２４ｃが挿入される挿入溝２５ａが第３隔壁７3の下端と第５隔壁７5との対向位置に設けられ、電源側の充電極用端子部に対しては、連結片２４ｃが挿入される挿入溝２５ｂがボディ２の上側壁と第４隔壁７3の上端との対向位置に設けられている。従って、充電極用刃受２３が一体形成された端子板２４は、連結片２４ｃを挿入溝２５ａ又は２５ｂに挿入する向きで接地側並びに電源側の何れの端子部収納室１０1，１０2にも回転対称に収納可能となっている（図４（ｂ）参照）。つまり、接地側と電源側の２つの充電極用端子部における端子板２４，２４が１種類の部品で共通に使用することができ、部品品種の削減によるコストダウンが図れるという利点がある。また、端子部収納室１０1，１０2に収納された状態において、上下方向に対向する各一対の端子片２４ａ，２４ａの間にそれぞれ錠ばね４０，４０が収納され、上側の端子片２４ａが錠ばね４０の接続片４０ｃに当接して支持する支持片となり、下側の端子片２４ａが錠ばね４０との間で外部電線の導体を狭持し且つ導体と弾接する弾接片となる。
【００３８】
而して、電線挿入孔１２を通して外郭１内部に外部電線を挿入すると、外部電線の導体が端子板２４の弾接片（下側の端子片２４ａ）と錠ばね４０の接触片４０ａおよび鎖錠片４０ｂとの間に挟持され、外部電線の導体が弾接片（下側の端子片２４ａ）に弾接して端子板２４と電気的に接続されるとともに、鎖錠片４０ｂの先端縁が導体に食い込むことによって外部電線が抜けないように機械的に保持（抜け止め）されることで外部電線を結線することができる。また、端子部収納室１０1，１０2の下側における一対の端子片２４ａ，２４ａの間に解除釦４１が配置され、操作孔１０ａを通してマイナスドライバ等の工具先端で解除釦４１を押操作すれば、上方に移動する解除釦４１によって一対の錠ばね４０，４０の鎖錠片４０ｂ，４０ｂを導体から離れる向き同時に撓ませ、外部電線の導体から引き離して鎖錠状態を解除することができる。
【００３９】
ところで、一対の充電極用端子部並びに接地極用端子部を構成する端子板２２，２４においては、外部電線あるいは接地線の導体がより線（例えば、円形より線）である場合にも結線可能とするため、端子板２２，２４の接続片２２ｂ並びに端子片２４ａの内側面（導体が弾接する面）にローレット加工が為され、導体の挿入方向に沿って凹凸が交互に繰り返すローレット部が形成されている（図２参照）。このようなローレット部が形成されていることにより、導体に対する摩擦抵抗が大きくなることで単線に比べて径の細いより線でも結線可能になるとともに、導体の表面に付着した汚れをローレット部の凹凸によってある程度除去することができる。
【００４０】
このように構成される本実施形態のコンセントは、図５に示すように合成樹脂材料よって矩形枠状に形成されたプレート枠１００に取り付けられて壁面などの造営面に埋込配設される。このプレート枠１００は、壁に埋め込まれた埋込ボックス２００の前面にボックスねじ（図示せず）によってねじ止めされる。またプレート枠１００にはコンセントの外郭１前端部が挿通される矩形の窓孔（図示せず）を有した化粧プレート１０１が前方から着脱自在に取着される。埋込ボックス２００は前面が開口する横長の略直方体形状であって、下側面における長手方向両端に各々電線管２０１，２０１が接続されている。一方の電線管２０１には図示しない分電盤若しくは他の配線器具に接続された外部電線１１０，１１０と接地線１２０が挿通され、他方の電線管２０１には他の配線器具に送り配線するための外部電線１１０，１１０と接地線１２０が挿通されており、これら複数の外部電線１１０並びに接地線１２０が埋込ボックス２００内でコンセントの充電極用端子部並びに接地極用端子部に結線される（図５参照）。但し、図示例では外部電線１１０として公称断面積が５．５ｍｍ2の円形より線を導体とするものを使用し、接地線１２０として外部電線１１０よりも径の細い単線を導体とするものを使用している。
【００４１】
ここで、本実施形態では接地側の充電極用端子部を収納する端子部収納室１０1と電源側の充電極用端子部を収納する端子部収納室１０2とがボディ２の長手方向両端に設けられ、接地極用端子部を収納する接地極収納室８がボディ２の長手方向中央に設けられるとともに、各収納室８，１０1，１０2においては一対の接地線挿入孔１１，１１並びに一対の電線挿入孔１２，１２がボディ２の長手方向に沿って並設されているので、図１（ｃ）に示すように複数の電線挿入孔１２並びに接地線挿入孔１１が、外郭１の長手方向（左右方向）に沿って並び且つ外郭１の長手方向と直交する方向（上下方向）において重ならないようになっている。このため、従来例のように複数の電線挿入孔並びに接地線挿入孔が外郭後面における長手方向略中央に集中し且つ外郭の長手方向と直交する方向において重なって配置されている構成に比較して、導体１１１が断面積５．５ｍｍ2の円形より線で構成される太い外部電線１１０を用いる場合においも、外部電線１１０並びに接地線１１１の引き回しが容易であり且つ結線作業もし易いものである。
【００４２】
（実施形態２）
本実施形態のコンセントは、図６並びに図７に示すように定格１５Ａ，２５０Ｖの極配置を有する２極接地極付埋込コンセントである。但し、ボディ２、組立枠４、接地極用端子部は実施形態１と同一であるから説明を省略する。
【００４３】
カバー３は、一対の充電極用差込口１６ａ，１６ｂが左右方向に長い矩形孔からなる点を除けば、実施形態１におけるカバー３と共通の構成を有している。また充電極用端子部は、一対の刃受ばね２３ａ，２３ａが上下方向に対向する向きで充電極用刃受２３が端子板２４と連結されるとともに端子板２４の連結片２４ｃが略鈎形に曲げられている点を除けば、実施形態１における充電極用端子部と共通の構成を有している。
【００４４】
而して本実施形態においても、充電極用刃受２３と一体形成された端子板２４が、連結片２４ｃを挿入溝２５ａ又は２５ｂに挿入する向きで接地側並びに電源側の何れの端子部収納室１０1，１０2にも回転対称に収納することが可能であり、接地側と電源側の２つの充電極用端子部における端子板２４，２４が１種類の部品で共通に使用することができる。
【００４５】
（実施形態３）
本実施形態のコンセントは、図８並びに図９に示すように定格２０Ａ，１２５Ｖの極配置を有する２極接地極付埋込コンセントである。但し、ボディ２、組立枠４、接地極用端子部は実施形態１と同一であるから説明を省略する。
【００４６】
カバー３は、接地側の充電極用差込口１６ａが左右方向に長い矩形孔の右端と上下方向に長い矩形孔の下端を連結した形状に形成されている点を除けば、実施形態１におけるカバー３と共通の構成を有している。また、接地側の充電極用端子部が実施形態２における充電極用端子部と同一のものであり、電源側の充電極用端子部が実施形態１における充電極用端子部と同一のものである。
【００４７】
而して本実施形態においては、カバー３を除いて実施形態１，２と共通の部品が使用できるために製造コストが削減できるという利点がある。
【００４８】
（実施形態４）
本実施形態のコンセントは、図１０並びに図１１に示すように定格２０Ａ，２５０Ｖの極配置を有する２極接地極付埋込コンセントである。但し、ボディ２、組立枠４、接地極用端子部は実施形態１と同一であるから説明を省略する。
【００４９】
カバー３は、電源側の充電極用差込口１６ｂが左右方向に長い矩形孔からなる点を除けば、実施形態１におけるカバー３と共通の構成を有している。また、電源側の充電極用端子部が実施形態２における充電極用端子部と同一のものであり、接地側の充電極用端子部が実施形態１における充電極用端子部と同一のものである。
【００５０】
而して本実施形態においては、カバー３を除いて実施形態１，２と共通の部品が使用できるために製造コストが削減できるという利点がある。また、図１２（ａ）（ｂ）に示すように接地側の充電極用差込口１６ａを左右方向に長い矩形孔とし且つ電源側の充電極用差込口１６ｂを上下方向に長い矩形孔とするカバー３を用いれば、定格２０Ａ，２５０Ｖの極配置を有する接地極無しの２極埋込コンセントが構成可能である。さらに、図１２（ｃ）（ｄ）に示すように電源側の充電極用差込口１６ｂを左右方向に長い矩形孔とし且つ接地側の充電極用差込口１６ａを上下方向に長い矩形孔とするカバー３を用いれば、定格２０Ａ，２５０Ｖの極配置を有する２極接地極付埋込コンセントが構成可能である。
【００５１】
（実施形態５）
本実施形態のコンセントは、実施形態１と同じく定格１５Ａ，１２５Ｖの極配置を有する２極接地極付埋込コンセントであって、図１３に示すように充電極用刃受２３の構成を除けば、他の構成は実施形態１と共通である。従って、共通の構成要素には同一の符号を付して説明を省略する。
【００５２】
本実施形態における充電極用刃受２３は、図１４に示すように実施形態２と同様に上下方向に対向する一対の刃受ばね２３ａ，２３ａと、これら一対の刃受ばね２３ａ，２３ａの側端縁と左右方向に対向し当該側端縁との間に差込プラグの充電極の刃を弾性的に狭持する刃受ばね２３ｂとで構成され、連結片２４ｃによって端子板２４と連結されて一体に形成されている。従って、差込プラグの刃が厚み方向を上下方向に一致させた向きの極配置であれば一対の刃受ばね２３ａ，２３ａによって弾性的に狭持され、差込プラグの刃が厚み方向を左右方向に一致させた向きの極配置であれば一対の刃受ばね２３ａ，２３ａの側端縁と刃受ばね２３ｂによって弾性的に狭持され、差込プラグの刃が略鉤形（定格２０Ａ，２５０Ｖ）であれば一対の刃受ばね２３ａ，２３ａと刃受ばね２３ｂによって弾性的に狭持されることになる。また、かかる充電極用刃受２３が一体形成された端子板２４は、連結片２４ｃを挿入溝２５ａ又は２５ｂに挿入する向きで接地側並びに電源側の何れの端子部収納室１０1，１０2にも回転対称に収納可能である（図１５参照）。
【００５３】
而して、本実施形態における充電極用刃受２３は、実施形態１〜４で説明した全ての極配置に対応することができ、これら複数種類の極配置の各コンセントにおいて充電極用刃受２３並びに充電極用端子部の構成が共通となるため、充電極用差込口１６ａ，１６ｂの形状が異なる複数種類のカバー３を用意するだけで済むという利点がある。また実施形態１〜４で例示した極配置以外でも、図１６（ａ）に示すように接地側の充電極用差込口１６ａを、長手方向を上下方向とする矩形孔の中央に長手方向を左右方向とする矩形孔の端を連結させた形状に形成するとともに、電源側の充電極用差込口１６ｂを長手方向を上下方向とする矩形孔とすることで定格１５Ａ，１２５Ｖの極配置と定格２０Ａ，１２５Ｖの極配置に兼用可能なコンセントが提供でき、さらに、図１６（ｂ）に示すように電源側の充電極用差込口１６ｂを長手方向を左右方向とする矩形孔とすれば定格１５Ａ，２５０Ｖの極配置と定格２０Ａ，２５０Ｖの極配置に兼用可能なコンセントが提供できる。
【００５４】
ところで充電極用刃受２３においては、図１７に示すように一対の刃受ばね２３ａ，２３ａの側端縁と対向する刃受ばね２３ｂの根元部分（曲げ加工される部位）に突起（ダボ）２３ｃが形成されているので、突起２３ｃが無い場合と比較して刃受ばね２３ａ，２３ａ，２３ｃが撓みにくくなり、差込プラグの挿抜力が安定して得られるという利点がある。
【００５５】
また、充電極用端子部に外部電線を結線する際、外部電線１１０の導体１１１の挿入に伴って錠ばね４０が前方へ移動するのを防ぐため、図１８（ａ）に示すように外部電線１１０の挿入向き（同図における上向き）に沿って錠ばね４０に当接する当接部２６がカバー３の後面側に設けられている。これにより、外部電線１１０の挿入向きに沿った錠ばね４０の移動を防いで外部電線１１０を確実に結線することができる。さらに、外部電線１１０から露出する導体１１１が必要十分な長さ以上である場合、端子板２４の端子片２４ａ前端よりも前方へ導体１１１が突き抜けることがあるが、図１８（ｂ）に示すようにカバー３の後面には電線挿入孔１２と対向する凹所２７が設けられているため、外部電線１１０の導体１１１が必要十分な長さ以上に挿入された場合でも導体１１１の先端部分を凹所２７内に逃がすことで他方の充電極用端子部と接触する等の不具合の発生を防ぐことができる。
【００５６】
但し、カバー３に設けた当接部２６で錠ばね４０を抑える代わりに、図１９（ｃ）に示すように端子板２４の中央片２４ｂを幅広に形成し、この中央片２４ｂに錠ばね４０を当接させるようにしても構わない。このとき、中央片２４ｂを外部電線１１０の挿入方向に沿って電線挿入孔１２と対向させれば、外部電線１１０の導体１１１が中央片２４ｂに当たって必要以上に奥まで挿入されるのを防ぐことができる（図１９（ｂ）参照）。
【図面の簡単な説明】
【００５７】
【図１】本発明の実施形態１を示し、（ａ）は正面図、（ｂ）は下面図、（ｃ）は背面図、（ｄ）は右側面図である。
【図２】同上の分解斜視図である。
【図３】同上における充電極用端子部を構成する端子板と充電極用刃受を示し、（ａ）は正面図、（ｂ）は下面図、（ｃ）は右側面図である。
【図４】（ａ）は同上におけるボディの正面図、（ｂ）は同上のカバー並びに組立枠を取り外した状態の正面図である。
【図５】同上の施工状態を示し、（ａ）は後方から見た断面図、（ｂ）は側方から見た断面図である。
【図６】本発明の実施形態２を示す分解斜視図である。
【図７】同上を示し、（ａ）は正面図、（ｂ）は背面図である。
【図８】本発明の実施形態３を示す分解斜視図である。
【図９】同上を示し、（ａ）は正面図、（ｂ）は背面図である。
【図１０】本発明の実施形態４を示す分解斜視図である。
【図１１】同上を示し、（ａ）は正面図、（ｂ）は背面図である。
【図１２】（ａ）は同上における他の構成の正面図、（ｂ）はカバー並びに組立枠を取り外した状態の正面図、（ｃ）同上におけるさらに他の構成の正面図、（ｄ）はカバー並びに組立枠を取り外した状態の正面図である。
【図１３】本発明の実施形態５を示す分解斜視図である。
【図１４】同上における充電極用端子部を構成する端子板と充電極用刃受を示し、（ａ）は正面図、（ｂ）は（ａ）のＡ−Ａ線断面矢視図、（ｃ）は（ａ）のＢ−Ｂ線断面矢視図、（ｄ）は（ａ）のＣ−Ｃ線断面矢視図である。
【図１５】同上のカバー並びに組立枠を取り外した状態の正面図である。
【図１６】（ａ）は同上における他の構成の正面図、（ｂ）は同上におけるさらに他の構成の正面図である。
【図１７】同上における充電極用刃受の要部断面図である。
【図１８】（ａ），（ｂ）は同上における充電極用端子部の要部断面図である。
【図１９】同上の他の構成を示し、（ａ）は正面図、（ｂ）は右側面図、（ｃ）はカバー並びに組立枠を取り外した状態の正面図である。
【図２０】従来例を示す正面図である。
【図２１】同上の施工状態を示し、（ａ）は後方から見た断面図、（ｂ）は側方から見た断面図である。
【符号の説明】
【００５８】
１  外郭
２  ボディ
３  カバー
４  組立枠
１１  接地線挿入孔
１２  電線挿入孔
【図１】
2008159279.tif 000003
【図２】
2008159279.tif 000004
【図３】
2008159279.tif 000005
【図４】
2008159279.tif 000006
【図５】
2008159279.tif 000007
【図６】
2008159279.tif 000008
【図７】
2008159279.tif 000009
【図８】
2008159279.tif 000010
【図９】
2008159279.tif 000011
【図１０】
2008159279.tif 000012
【図１１】
2008159279.tif 000013
【図１２】
2008159279.tif 000014
【図１３】
2008159279.tif 000015
【図１４】
2008159279.tif 000016
【図１５】
2008159279.tif 000017
【図１６】
2008159279.tif 000018
【図１７】
2008159279.tif 000019
【図１８】
2008159279.tif 000020
【図１９】
2008159279.tif 000021
【図２０】
2008159279.tif 000022
【図２１】
2008159279.tif 000023